(57)【要約】【課題】灯具の設計自由度を高める技術を提供する。【解決手段】灯具１は、光源１０と、第１表面１８及び第２表面２０を有する導光体１２とを備える。導光体１２は、第２表面２０に設けられ、光源１０の光が入射する入光部２２と、第１表面１８に設けられ、入光部２２からの光を第１表面１８及び第２表面２０の延在方向に反射する第１反射面２４と、第１表面１８に設けられ、第１反射面２４からの光を第２表面２０側に反射する第２反射面２６と、第２表面２０に設けられ、第２反射面２６からの光を第１反射面２４から離間する方向に反射する第３反射面２８と、第２表面２０に設けられ、第３反射面２８からの光を反射して第１表面１８から出射させる第４反射面３０とを有する。【選択図】図１
2018006153.tif 000002
【特許請求の範囲】
【請求項１】
光源と、
灯具前方側を向く第１表面及び前記第１表面に背向する第２表面を有する導光体と、
を備え、
前記導光体は、
前記第２表面に設けられ、前記光源の光が入射する入光部と、
前記第１表面に設けられ、前記入光部から入射する光を前記第１表面及び前記第２表面の延在方向に反射する第１反射面と、
前記第１表面に設けられ、前記第１反射面で反射された光を前記第２表面側に反射する第２反射面と、
前記第２表面に設けられ、前記第２反射面で反射された光を前記延在方向、且つ前記第１反射面から離間する方向に反射する第３反射面と、
前記第２表面に設けられ、前記第３反射面で反射された光を反射して、前記第１表面から灯具前方に出射させる第４反射面と、
を有することを特徴とする灯具。
【請求項２】
前記導光体は、前記第２表面における前記入光部と前記第３反射面との間に設けられ、前記第１反射面で反射された光を反射して、前記第１表面から灯具前方に出射させる第５反射面をさらに有する請求項１に記載の灯具。
【請求項３】
前記入光部は、前記第２表面に設けられる突出部を有し、
前記突出部は、突出方向に対して垂直な断面形状が第１方向に長い、長円形状あるいは楕円形状であり、
前記第４反射面は、前記第１方向に長い形状を有する請求項１又は２に記載の灯具。
【請求項４】
前記第４反射面は、第２方向に長い形状を有し、
前記第２方向における前記第４反射面の中心と前記第１反射面の中心とは、第２方向にずれて配置され、
前記第１反射面は、複数の矩形領域に分割され、
前記複数の矩形領域は、第２方向に並び、それぞれにおける１組の対辺が前記第４反射面の中心と前記第１反射面の中心とを結ぶ直線に対して平行に延び、それぞれの他の１辺の端部が第２方向に対して平行な直線上に位置するように配置される請求項１乃至３のいずれか１項に記載の灯具。
【請求項５】
車両に搭載される車両用灯具である請求項１乃至４のいずれか１項に記載の灯具。
【発明の詳細な説明】
【技術分野】
【０００１】
本発明は、灯具に関する。
【背景技術】
【０００２】
従来、光源の光を光軸方向への平行光としつつ導光体内へ入射させる入射部と、光軸に対して４５度で傾斜し、入射部からの光を左右方向へ反射させる反射面と、この反射面からの光を光軸方向へ反射させる他の反射面と、他の反射面からの光を出射させる出射面とを有する導光体を備えた車両用灯具が知られている（例えば特許文献１参照）。
【先行技術文献】
【特許文献】
【０００３】
【特許文献１】特開２０１２−２８１５５号公報
【発明の概要】
【発明が解決しようとする課題】
【０００４】
特許文献１の車両用灯具が備える導光体は、２つの反射面で光を反射させて灯具前方に光を出射する構造であるため、その厚さが厚くなる傾向にあった。特に、上述した他の反射面の数を増やした場合により厚くなる。導光体が厚くなると、導光体が車両用灯具の設計上の制約となり、車両用灯具の設計自由度が低下してしまう。また、一般照明用等の他の灯具であっても、上述した灯具構造を備える場合には同様の課題が生じる。
【０００５】
本発明はこうした状況に鑑みてなされたものであり、その目的は、灯具の設計自由度を高める技術を提供することにある。
【課題を解決するための手段】
【０００６】
上記課題を解決するために、本発明のある態様は灯具である。当該灯具は、光源と、灯具前方側を向く第１表面及び第１表面に背向する第２表面を有する導光体と、を備える。導光体は、第２表面に設けられ、光源の光が入射する入光部と、第１表面に設けられ、入光部から入射する光を第１表面及び第２表面の延在方向に反射する第１反射面と、第１表面に設けられ、第１反射面で反射された光を第２表面側に反射する第２反射面と、第２表面に設けられ、第２反射面で反射された光を前記延在方向、且つ第１反射面から離間する方向に反射する第３反射面と、第２表面に設けられ、第３反射面で反射された光を反射して、第１表面から灯具前方に出射させる第４反射面と、を有する。この態様によれば、灯具の設計自由度を高めることができる。
【０００７】
上記態様において、導光体は、第２表面における入光部と第３反射面との間に設けられ、第１反射面で反射された光を反射して、第１表面から灯具前方に出射させる第５反射面をさらに有してもよい。また、上記いずれかの態様において、入光部は、第２表面に設けられる突出部を有し、突出部は、突出方向に対して垂直な断面形状が第１方向に長い、長円形状あるいは楕円形状であり、第４反射面は、第１方向に長い形状を有してもよい。また、上記いずれかの態様において、第４反射面は、第２方向に長い形状を有し、第２方向における第４反射面の中心と第１反射面の中心とは、第２方向にずれて配置され、第１反射面は、複数の矩形領域に分割され、複数の矩形領域は、第２方向に並び、それぞれにおける１組の対辺が第４反射面の中心と第１反射面の中心とを結ぶ直線に対して平行に延び、それぞれの他の１辺の端部が第２方向に対して平行な直線上に位置するように配置されてもよい。
【発明の効果】
【０００８】
本発明によれば、灯具の設計自由度を高めることができる。
【図面の簡単な説明】
【０００９】
【図１】実施の形態に係る灯具の概略構造を示す鉛直断面図である。
【図２】実施の形態に係る灯具の概略構造を示す水平断面図である。
【図３】導光体を正面から観察した場合における入光部の突出部、第４反射面及び第５反射面を模式的に示す図である。
【図４】図４（Ａ）は、比較例に係る導光体の概略構造を示す水平断面図である。図４（Ｂ）は、実施の形態に係る導光体の概略構造を示す水平断面図である。
【図５】図５（Ａ）は、比較例に係る導光体を正面から観察した場合における第１反射面、第４反射面及び第５反射面を模式的に示す図である。図５（Ｂ）は、実施の形態に係る導光体を正面から観察した場合における第１反射面、第４反射面及び第５反射面を模式的に示す図である。
【図６】図６（Ａ）及び図６（Ｂ）は、変形例に係る灯具の概略構造を示す鉛直断面図である。
【発明を実施するための形態】
【００１０】
以下、本発明を好適な実施の形態をもとに図面を参照しながら説明する。実施の形態は、発明を限定するものではなく例示であって、実施の形態に記述されるすべての特徴やその組み合わせは、必ずしも発明の本質的なものであるとは限らない。各図面に示される同一または同等の構成要素、部材、処理には、同一の符号を付するものとし、適宜重複した説明は省略する。また、各図に示す各部の縮尺や形状は、説明を容易にするために便宜的に設定されており、特に言及がない限り限定的に解釈されるものではない。また、本明細書または請求項中に用いられる「第１」、「第２」等の用語は、いかなる順序や重要度を表すものでもなく、ある構成と他の構成とを区別するためのものである。
【００１１】
図１は、実施の形態に係る灯具の概略構造を示す鉛直断面図である。本実施の形態に係る灯具１は、自動車などの車両に搭載される車両用灯具である。車両用灯具は、例えばリアコンビネーションランプである。灯具１は、車両後方側に開口部を有するランプボディ２と、ランプボディ２の開口部を覆うアウターカバー４とを備える。アウターカバー４は、透光性を有する樹脂、例えばアクリル樹脂やポリカーボネート樹脂等で形成される。ランプボディ２とアウターカバー４とによって、灯室６が形成される。灯室６内には、灯具ユニット８が収容される。
【００１２】
灯具ユニット８は、光源１０と、導光体１２とを主な構成として備える。光源１０は、例えばＬＥＤ（発光ダイオード）である。光源１０は、車両後方側に光出射面が向くように配置される。本実施の形態では、光源１０は、ＬＥＤユニット１４の一部を構成している。ＬＥＤユニット１４は、光源１０と、装着部１６とを有する。装着部１６は、光源１０を搭載するとともに、ランプボディ２の車両前方側に設けられる貫通孔２ａに着脱可能に装着される。ＬＥＤユニット１４によれば、光源１０を簡単に交換することができる。
【００１３】
なお、光源１０は、ＬＤ（レーザーダイオード）、有機又は無機ＥＬ（エレクトロルミネセンス）等のＬＥＤ以外の半導体発光素子や、放電灯（ディスチャージバルブ）、白熱球、ハロゲンランプ等であってもよい。また、光源１０は、装着部１６を介さずにランプボディ２に固定されてもよい。
【００１４】
導光体１２は、光源１０の光を灯具前方に出射する光学部材であり、インナーレンズとも呼ばれる。導光体１２は、透光性を有する樹脂、例えばアクリル樹脂やポリカーボネート樹脂等で形成される。導光体１２は、周端部がランプボディ２に固定される。導光体１２は、灯具前方側を向く第１表面１８と、第１表面１８に背向し、灯具後方側を向く第２表面２０とを有する。本実施の形態では、第１表面１８及び第２表面２０は、略鉛直方向に延在する。
【００１５】
また、導光体１２は、入光部２２と、第１反射面２４と、第２反射面２６と、第３反射面２８と、第４反射面３０と、第５反射面３２とを有する。
【００１６】
入光部２２は、導光体１２の第２表面２０に設けられる。入光部２２は、光源１０の光出射面と対向するように配置され、光源１０の光が入射する。第１反射面２４は、第１表面１８に設けられ、入光部２２から入射する光を第１表面１８及び第２表面２０の延在方向に反射（内面反射）する。
【００１７】
第２反射面２６は、第１表面１８に設けられ、第１反射面２４で反射された光を第２表面２０側に反射する。第１反射面２４と第２反射面２６とは、第１反射面２４で反射される光の進行方向から見て互いに重なる。第３反射面２８は、第２表面２０に設けられ、第２反射面２６で反射された光を第１表面１８及び第２表面２０の延在方向、且つ第１反射面２４から離間する方向に反射する。第４反射面３０は、第２表面２０に設けられ、第３反射面２８で反射された光を第１表面１８に向けて反射して、第１表面１８から灯具前方に出射させる。第１反射面２４と第４反射面３０とは、第１反射面２４で反射される光の進行方向から見て互いに重なっていなくてもよい。
【００１８】
第５反射面３２は、第２表面２０に設けられ、第１反射面２４で反射された光を第１表面１８に向けて反射して、第１表面１８から灯具前方に出射させる。第５反射面３２が反射する光は、第２反射面２６及び第３反射面２８を経由せずに第５反射面３２に到達する光である。すなわち、第５反射面３２は、第１反射面２４で反射された光を直に反射する。第５反射面３２の少なくとも１つは、第２表面２０における入光部２２と第３反射面２８との間に設けられる。第１反射面２４と第５反射面３２とは、第１反射面２４で反射される光の進行方向から見て互いに重なる。好ましくは、第１反射面２４〜第５反射面３２は、光源１０の光を全反射する。
【００１９】
本実施の形態では、第１表面１８及び第２表面２０は、入光部２２から略鉛直方向上方及び略鉛直方向下方に延在する。導光体１２は、入光部２２から入射する光を略鉛直方向上方側に反射する第１反射面２４ａと、当該光を略鉛直方向下方側に反射する第１反射面２４ｂとを有する。第１反射面２４ａは、入光部２２からの光を略鉛直方向上方に反射できる角度で、光源１０の光出射面に対して傾く。また、第１反射面２４ｂは、入光部２２からの光を略鉛直方向下方に反射できる角度で、光源１０の光出射面に対して傾く。このため、第１反射面２４ａと第１反射面２４ｂとで、鉛直断面視Ｖ字状の反射面が形成される。
【００２０】
入光部２２を基準として導光体１２の鉛直方向上方側には、第２反射面２６と、第３反射面２８と、第４反射面３０とが配置される。また、入光部２２と第３反射面２８との間に、第５反射面３２が配置される。したがって、導光体１２の鉛直方向上方側では、第１反射面２４ａ、第５反射面３２、第２反射面２６、第３反射面２８、第４反射面３０の順に配置されている。
【００２１】
入光部２２を基準として導光体１２の鉛直方向下方側には、２つの第５反射面３２が配置される。したがって、導光体１２の鉛直方向上下側では、第１反射面２４ｂ、一つ目の第５反射面３２、二つ目の第５反射面３２の順に配置されている。
【００２２】
光源１０から出射された光は、入光部２２に入射する。入光部２２に入射した光の一部は、第１反射面２４ａで反射されて、導光体１２の内部を略鉛直方向上方に進行する。第１反射面２４ａで反射された光の一部は、第２反射面２６で反射されて第３反射面２８に向けて進行し、さらに第３反射面２８で反射されて第４反射面３０に向けて進行する。第４反射面３０に到達した光は、第４反射面３０で第１表面１８に向けて反射され、第１表面１８から灯具前方に出射する。第１表面１８において、光が出射する領域は、発光部となる。当該発光部の形状は、第４反射面３０の形状と概ね同一である。
【００２３】
第１反射面２４ａで反射された光の他の一部は、入光部２２と第３反射面２８との間に位置する第５反射面３２で第１表面１８に向けて反射され、第１表面１８から灯具前方に出射する。第５反射面３２で反射された光の出射により第１表面１８に形成される発光部の形状は、第５反射面３２の形状と概ね同一である。
【００２４】
入光部２２に入射した光の他の一部は、第１反射面２４ｂで反射されて、導光体１２の内部を略鉛直方向下方に進行する。第１反射面２４ｂで反射された光の一部は、第１反射面２４に近い側の第５反射面３２で第１表面１８に向けて反射され、第１表面１８から灯具前方に出射する。第１反射面２４ｂで反射された光の他の一部は、第１反射面２４から遠い側の第５反射面３２で第１表面１８に向けて反射され、第１表面１８から灯具前方に出射する。
【００２５】
したがって、灯具１は、灯具前方に光を出射するための反射面を４つ、すなわち１つの第４反射面３０と３つの第５反射面３２とを有する。したがって、灯具１は、４つの発光部を有する。
【００２６】
続いて、入光部２２の形状と第４反射面３０及び第５反射面３２の形状との関係について説明する。図２は、実施の形態に係る灯具の概略構造を示す水平断面図である。図３は、導光体を正面から観察した場合における入光部の突出部、第４反射面及び第５反射面を模式的に示す図である。図４（Ａ）は、比較例に係る導光体の概略構造を示す水平断面図である。図４（Ｂ）は、実施の形態に係る導光体の概略構造を示す水平断面図である。図２では、ＬＥＤユニット１４を簡略化して図示している。図３に示される突出部の形状は、図２におけるＡ−Ａ線に沿った断面の形状に相当する。
【００２７】
図２に示すように、入光部２２は、第２表面２０に設けられる突出部３４を有する。突出部３４は、第２表面２０からＬＥＤユニット１４に向けて突出する。突出部３４の先端には、光源１０の光が入射する光入射面３６が設けられる。図２及び図３に示すように、突出部３４は、第２表面２０からの突出方向Ｂ（図２において矢印Ｂで示される方向）に対して垂直な断面形状が第１方向Ｃ（図２及び図３において矢印Ｃで示される方向）に長い、長円形状あるいは楕円形状である。例えば、突出方向Ｂは灯具前後方向であり、第１方向Ｃは車幅方向である。
【００２８】
また、図３に示すように、第４反射面３０は、第１方向Ｃに長い形状を有する。第５反射面３２も同様に、第１方向Ｃに長い形状を有する。本実施の形態では、第４反射面３０及び第５反射面３２は、第１方向Ｃに長い略矩形状である。
【００２９】
図４（Ａ）に示すように、比較例に係る導光体９１２では、入光部９２２の突出部９３４は、突出方向Ｂに対して垂直な断面形状が略真円形状である。この場合、光入射面９３６から入射した全ての光は、略平行光となって灯具前方側に進行する。一方、図４（Ｂ）に示すように、実施の形態に係る導光体１２では、入光部２２の突出部３４は、突出方向Ｂに対して垂直な断面形状が第１方向Ｃに長い長円あるいは楕円である。この場合、光入射面３６から入射した光の少なくとも一部は、第１方向Ｃに広がりながら灯具前方側に進行する。楕円形状あるいは長円形状の突出部３４によれば、入光部２２の第１方向Ｃの幅よりも広く光を拡散させることができる。
【００３０】
このため、本実施の形態の導光体１２では、光源１０の光は、入光部２２から第１反射面２４、第２反射面２６、第３反射面２８、第４反射面３０へと進む過程で、また入光部２２から第１反射面２４、第５反射面３２へと進む過程で、図３において破線で示すように徐々に第１方向Ｃに広がっていく。このため、比較例の導光体９１２に比べて、第１方向Ｃに長い第４反射面３０及び第５反射面３２のより広い領域に、光源１０の光を到達させることができる。
【００３１】
続いて、第１反射面２４の形状と、第１反射面２４、第４反射面３０及び第５反射面３２の配置とについて説明する。図５（Ａ）は、比較例に係る導光体を正面から観察した場合における第１反射面、第４反射面及び第５反射面を模式的に示す図である。図５（Ｂ）は、実施の形態に係る導光体を正面から観察した場合における第１反射面、第４反射面及び第５反射面を模式的に示す図である。
【００３２】
比較例に係る導光体９１２と実施の形態に係る導光体１２とはともに、第４反射面３０，９３０及び第５反射面３２，９３２が、第２方向Ｄ（図５（Ａ）及び図５（Ｂ）において矢印Ｄで示される方向）に長い形状を有する。本実施の形態では、第４反射面３０，９３０及び第５反射面３２，９３２は、第２方向Ｄに長い略矩形状である。また、第４反射面３０，９３０は、２つの長辺３０ａ，９３０ａが第２方向Ｄに対して平行に延在する。同様に、第５反射面３２，９３２は、２つの長辺３２ａ、９３２ａが第２方向Ｄに対して平行に延在する。本実施の形態において、第２方向Ｄは車幅方向である。したがって、第１方向Ｃと第２方向Ｄとが一致する。なお、第１方向Ｃと第２方向Ｄとは一致しなくてもよい。
【００３３】
また、比較例に係る導光体９１２では、第２方向Ｄにおける第４反射面９３０の中心Ｐ１と第１反射面９２４の中心Ｐ２とは、第２方向Ｄにずれて配置される。また、第２方向Ｄにおける第５反射面９３２の中心Ｐ３と第１反射面９２４の中心Ｐ２とは、第２方向Ｄにずれて配置される。同様に、実施の形態に係る導光体１２でも、第２方向Ｄにおける第４反射面３０の中心Ｐ１と第１反射面２４の中心Ｐ２とは、第２方向Ｄにずれて配置される。また、第２方向Ｄにおける第５反射面３２の中心Ｐ３と第１反射面２４の中心Ｐ２とは、第２方向Ｄにずれて配置される。本実施の形態では、第４反射面３０，９３０と、第１反射面２４，９２４と、第５反射面３２，９３２とは、それぞれの中心Ｐ１〜Ｐ３が同一の直線Ｌ上に位置するように配置されている。
【００３４】
図５（Ａ）に示すように、比較例に係る導光体９１２の第１反射面９２４は、第４反射面９３０の中心Ｐ１と第１反射面９２４の中心Ｐ２とを結ぶ直線Ｌに対して略垂直に交わる長辺９２４ａを有する矩形状である。これにより、第１反射面９２４が第４反射面９３０と平行に延在する場合に比べて、第４反射面９３０へより多くの光を到達させることができる。同様に導光体９１２の第１反射面９２４は、第５反射面９３２の中心Ｐ３と第１反射面９２４の中心Ｐ２とを結ぶ直線Ｌに対して略垂直に交わる長辺９２４ａを有する矩形状である。これにより、第１反射面９２４が第５反射面９３２と平行に延在する場合に比べて、第５反射面９３２へより多くの光を到達させることができる。
【００３５】
しかしながら、第１反射面９２４の長辺９２４ａを直線Ｌに対して略垂直にすると、第１反射面９２４の長辺９２４ａと第４反射面９３０の長辺９３０ａとが非平行となる。また、第１反射面９２４の長辺９２４ａと第５反射面９３２の長辺９３２ａとが非平行となる。このため、第１反射面９２４と、第４反射面９３０及び／又は第５反射面９３２とが干渉してしまう。図５（Ａ）には、第１反射面９２４の一部が第５反射面９３２に重なった状態が図示されている。
【００３６】
これに対し、図５（Ｂ）に示すように、実施の形態に係る導光体１２の第１反射面２４は、複数の矩形領域２４ｃに分割されている。そして、複数の矩形領域２４ｃは、第２方向Ｄに並んでいる。また、各矩形領域２４ｃは、それぞれにおける１組の対辺、ここでは第２方向Ｄに並ぶ２辺２４ｄが、第４反射面３０の中心Ｐ１と第１反射面２４の中心Ｐ２とを結ぶ直線Ｌに対して平行に延びるように配置されている。また、各矩形領域２４ｃは、それぞれの他の１辺２４ｅの端部が、第２方向Ｄに対して平行な直線Ｍ上に位置するように配置されている。辺２４ｅの端部は、辺２４ｅと一方の辺２４ｄとが接する頂点２４ｆである。辺２４ｅは、２つの辺２４ｄを除く２辺のうち、第４反射面３０により近い側の辺である。また、頂点２４ｆは、第４反射面３０により近い側の頂点である。
【００３７】
これにより、第１反射面２４が第４反射面３０と平行に延在する場合に比べて、第４反射面３０へより多くの光を到達させることができる。また、第４反射面３０の長辺３０ａと、各矩形領域２４ｃの頂点２４ｆを通る直線Ｍとが平行であるため、比較例に係る導光体９１２に比べて、第４反射面３０と第１反射面２４とを干渉させずにより接近させることができる。
【００３８】
同様に、各矩形領域２４ｃは、それぞれにおける１組の対辺、ここでは第２方向Ｄに並ぶ２辺２４ｄが、第５反射面３２の中心Ｐ３と第１反射面２４の中心Ｐ２とを結ぶ直線Ｌに対して平行に延びるように配置されている。また、各矩形領域２４ｃは、それぞれの他の１辺２４ｅの端部、すなわち頂点２４ｆが第２方向Ｄに対して平行な直線Ｍ上に位置するように配置されている。辺２４ｅは、２つの辺２４ｄを除く２辺のうち、第５反射面３２側により近い側の辺である。また、頂点２４ｆは、第５反射面３２により近い側の頂点である。
【００３９】
これにより、第１反射面２４が第５反射面３２と平行に延在する場合に比べて、第５反射面３２へより多くの光を到達させることができる。また、第５反射面３２の長辺３２ａと、各矩形領域２４ｃの頂点２４ｆを通る直線Ｍとが平行であるため、比較例に係る導光体９１２に比べて、第５反射面３２と第１反射面２４とを干渉させずにより接近させることができる。
【００４０】
以上説明したように、本実施の形態に係る灯具１が備える導光体１２は、灯具後方側の第２表面２０に設けられる入光部２２と、第１反射面２４〜第４反射面３０とを有する。第１反射面２４は、灯具前方側の第１表面１８に設けられて入光部２２からの光を第１表面１８及び第２表面２０の延在方向に反射する。第２反射面２６は、第１表面１８に設けられて第１反射面２４からの光を第２表面２０側に反射する。第３反射面２８は、第２表面２０に設けられて第２反射面２６からの光を第１表面１８及び第２表面２０の延在方向で且つ第１反射面２４とは反対側に反射する。第４反射面３０は、第２表面２０に設けられて第３反射面２８からの光を反射し、第１表面１８から灯具前方に出射させる。
【００４１】
このような構成により、入光部２２から導光体１２に入射した光は、導光体１２内を内面反射を繰り返して第４反射面３０に向けて導かれる。そして、導光体１２の背面側に設けられる第４反射面３０によって光が反射され、導光体１２の光出射面である第１表面１８から光が出射される。
【００４２】
導光体１２は、導光経路における第１反射面２４と第４反射面３０との間に、第１反射面２４からの光を第２表面２０側に反射する第２反射面２６と、第２反射面２６からの光を導光体１２の延在方向に反射する第３反射面２８とを有する。この第２反射面２６と第３反射面２８とで構成される中継構造を設けることで、第１反射面２４と第４反射面３０とを、第１反射面２４で反射される光の進行方向から見て互いに重ならないようにずらすことが可能となる。
【００４３】
したがって、導光体１２から光を出射させる反射面を複数設ける場合に、少なくとも１つの反射面に対してこの中継構造を用いることで、すなわち第４反射面３０と第５反射面３２とを組み合わせることで、第５反射面３２のみを複数配置する場合に比べて導光体１２の厚さを薄くすることができる。また、この中継構造を用いることで、第４反射面３０の灯具前後方向の位置を自由に調整できるため、導光体１２の形状をより自由に設計することができる。以上より、本実施の形態によれば、灯具１の設計自由度を高めることができる。
【００４４】
車両の後部は、鉛直方向下方から上方に向かうにつれて、車両後方から車両前方に向かうように傾く形状を有することが多い。このため、アウターカバー４も同様のスラント形状を有することが求められる。この場合、導光体１２は、鉛直方向上方に向かうにつれて灯具後方側に向かうように傾斜させることが望ましい。しかしながら、入光部２２から入射した光を第１反射面２４で全反射させるためには、入光部２２から略鉛直方向上方に延在する部分の延在方向と入光部２２の突出方向とがなす角度を、所定範囲に収める必要がある。これに対し、上述した中継構造を設けることで、当該角度を第１反射面２４での全反射を実現できる角度に維持しながら、車両後部のスラント形状に合わせた導光体１２の形状を実現することができる。したがって、本実施の形態の灯具１は、車両用灯具としての使用により適している。
【００４５】
また、本実施の形態によれば、導光体１２の厚さを薄くすることができる。このため、導光体１２を射出成形で形成する場合に、成形品の冷却時間を短縮することができる。また、成形品の寸法精度を向上させることができる。
【００４６】
また、本実施の形態では、導光体１２は、第２表面２０における入光部２２と第３反射面２８との間に設けられて、光源１０の光を第１表面１８から出射させる第５反射面３２を有する。このように、上述した中継構造を介して光が到達する第４反射面３０と、中継構造を介さずに光が到達する第５反射面３２とを組み合わせることで、灯具１の設計自由度をさらに高めることができる。また、灯具１の意匠性を向上させることができる。
【００４７】
また、入光部２２は突出部３４を有する。突出部３４は、その突出方向に対して垂直な断面形状が第１方向Ｃに長い長円形状あるいは楕円形状である。そして、第４反射面３０及び第５反射面３２は、第１方向Ｃに長い形状を有する。これにより、第１方向Ｃに長いライン状の発光部を高精度に形成することができる。また、断面形状が真円形状である突出部を用いる場合に比べて、発光部の第１方向Ｃの長さをより長くすることができる。
【００４８】
また、本実施の形態では、第４反射面３０は第２方向Ｄに長い形状を有する。また、第２方向Ｄにおける第４反射面３０の中心Ｐ１と第１反射面２４の中心Ｐ２とは、第２方向Ｄにずれて配置される。また、第１反射面２４は、複数の矩形領域２４ｃを含む。複数の矩形領域２４ｃは第２方向Ｄに並ぶ。また、各矩形領域２４ｃの１組の対辺２４ｄは、直線Ｌに対して平行に延びる。さらに、各矩形領域２４ｃの他の１辺２４ｅの端部は、第２方向Ｄに対して平行な直線Ｍ上に位置する。
【００４９】
第５反射面３２についても同様であり、第５反射面３２は第２方向Ｄに長い形状を有する。また、第２方向Ｄにおける第５反射面３２の中心Ｐ３と第１反射面２４の中心Ｐ２とは、第２方向Ｄにずれて配置される。また、複数の矩形領域２４ｃは第２方向Ｄに並び、２辺２４ｄは直線Ｌに対して平行に延び、他の１辺２４ｅの端部は第２方向Ｄに対して平行な直線Ｍ上に位置する。
【００５０】
このような構造により、第４反射面３０あるいは第５反射面３２へより多くの光を到達させることができるとともに、第４反射面３０あるいは第５反射面３２と第１反射面２４とを近接配置することができる。このため、第４反射面３０及び第５反射面３２の配置の自由度が高まる。また、第１表面１８の面積を増やすことなく、発光部の数を増やすこともできる。したがって、灯具１の設計自由度をより高めることができる。
【００５１】
本発明は、上述の実施の形態に限定されるものではなく、当業者の知識に基づいて各種の設計変更等の変形を加えることが可能であり、そのような変形が加えられた実施の形態も本発明の範囲に含まれる。上述の実施の形態に変形が加えられた新たな実施の形態は、組み合わされる実施の形態及び変形それぞれの効果をあわせもつ。
【００５２】
図６（Ａ）及び図６（Ｂ）は、変形例に係る灯具の概略構造を示す鉛直断面図である。図６（Ａ）に示すように、導光体１２における第５反射面３２と第４反射面３０との間の領域の灯具前方側、言い換えれば第２反射面２６及び第３反射面２８が配置される領域の灯具前方側には、フォグランプ等の灯具構造物３８が配置されてもよい。また、図６（Ｂ）に示すように、導光体１２における第５反射面３２と第４反射面３０との間の領域の灯具前方側には、車体の一部等の車両構造物４０が配置されてもよい。これらによれば、灯具１の設計自由度を高めることができ、また新規な意匠を実現することができる。
【００５３】
上述した実施の形態及び変形例に係る灯具１は車両用灯具であるが、灯具１は車両用以外の用途に用いることもできる。例えば灯具１は、一般照明用や装飾照明用として用いられてもよい。
【符号の説明】
【００５４】
１  灯具、  １０  光源、  １２  導光体、  １８  第１表面、  ２０  第２表面、  ２２  入光部、  ２４  第１反射面、  ２４ｃ  矩形領域、  ２６  第２反射面、  ２８  第３反射面、  ３０  第４反射面、  ３２  第５反射面、  ３４  突出部。
【図１】
2018006153.tif 000003
【図２】
2018006153.tif 000004
【図３】
2018006153.tif 000005
【図４】
2018006153.tif 000006
【図５】
2018006153.tif 000007
【図６】
2018006153.tif 000008